(57)【要約】【課題】比較的狭い場所でも取り付け作業を容易に行うことができ、ヒンジの位置調節を適切に行える天袋を取り付ける方法およびその天袋を提供する。【解決手段】壁面７と天井８とを利用して天袋を取り付ける方法であって、該天袋は側板５と底板６とからなる正面視コ字型の箱体Ａとこの箱体Ａにヒンジ結合される扉部Ｂとから構成され、該扉部Ｂは扉本体２とカップ穴が設けられたヒンジ受座１とからなるとともに、上記扉本体２の側板５取り付け側の端面を切り欠いて上記ヒンジ受座１が嵌着される嵌着部２１とし、上記カップ穴と対をなす有底カップ穴が扉本体２に穿たれ、上記側板５と扉本体２の端部を切断除去して高さ寸法合わせを行い、上記ヒンジ受座１の端部を切断除去して高さ寸法合わせを行い、設置場所に対応して天袋を取り付ける方法、およびその天袋Ｃ。【選択図】図３
2008144366.tif 000002
【特許請求の範囲】
【請求項１】
壁面と天井とを利用して天袋を取り付ける方法であって、該天袋は側板と底板とからなる正面視コ字型の箱体とこの箱体にヒンジ結合される扉部とから構成され、該扉部は扉本体とカップ穴が設けられたヒンジ受座とからなるとともに、上記扉本体の側板取り付け側の端面を切り欠いて上記ヒンジ受座が嵌着される嵌着部とし、上記カップ穴と対をなす有底カップ穴が扉本体に穿たれ、上記側板と扉本体の端部を切断除去して高さ寸法合わせを行い、上記ヒンジ受座の端部を切断除去して高さ寸法合わせを行い、設置場所に対応して天袋を取り付ける方法。
【請求項２】
上記扉本体の側板取り付け側上部端面を切り欠いて嵌着部とし、この嵌着部に嵌着されるヒンジ受座を上記有底カップ穴の深さと同じ厚さを有する直方体とするとともに該嵌着部の上端から所定距離をおいて上部カップ穴を貫通孔として設け、扉本体の下端から上記所定距離と同距離をおいて下部有底カップ穴が設けられた請求項１に記載の天袋を取り付ける方法。
【請求項３】
上記ヒンジ受座の下端部を切断除去して高さ寸法合わせを行い再接合した後、カバー部材で上記扉本体の嵌着部とヒンジ受座とを含む側端部を覆う請求項１に記載の天袋を取り付ける方法。
【請求項４】
上記ヒンジがスライドヒンジである請求項１に記載の天袋を取り付ける方法。
【請求項５】
壁面と天井とを利用して取り付けられる天袋であって、該天袋は側板と底板とからなる正面視コ字型の箱体とこの箱体にヒンジ結合される扉部とから構成され、該扉部は扉本体とカップ穴が設けられたヒンジ受座とからなるとともに、上記扉本体の側板取り付け側の端面を切り欠いて上記ヒンジ受座が嵌着される嵌着部とし、上記カップ穴と対をなす有底カップ穴が扉本体に穿たれ、上記側板と扉本体の端部を切断除去して高さ寸法合わせを行い、上記ヒンジ受座の端部を切断除去して高さ寸法合わせを行い、設置場所に対応して取り付けられた天袋。
【発明の詳細な説明】
【技術分野】
【０００１】
本発明は、天袋を取り付ける方法に関する。さらに詳しくは、キッチンやトイレ等比較的狭い場所で設置場所に対応して天袋を取り付ける方法、およびその天袋に関する。
【背景技術】
【０００２】
従来、キッチンやトイレ内において、キッチン用の器具や食器類、あるいはトイレ用の種々の小物類を収納するために天袋を設けることが行われている。この天袋は、キッチンやトイレの上方の空間を有効に利用できるため、しばしば設けられ、通常、天井の隅部に取り付けられることが多い。その場合、天袋自体の背板はキッチンやトイレの壁面を利用し、天袋の天板としては天井自体が利用される。
【０００３】
また、天袋を構成する左右の側板には、収納物を出し入れする際に開閉する扉がヒンジによって取り付けられるが、上記した天井の隅部等、コーナー部に取り付けられる天袋に扉を回動自在に取り付ける場合、スライドヒンジが好適に用いられる。このスライドヒンジは、下記特許文献１に記載のように、天袋のような筐体の側板の内側面に取り付けられる被嵌着部材と、扉の内側面に取り付けられる嵌着部材とに分割して構成され、現場において、筐体、例えば、天袋を天井の隅部に固定した後、嵌着部材を被嵌着部材に嵌着係合し、ネジで両者を結合してヒンジを完成し、扉を筐体の側板に回動自在に取り付けるものである。
【０００４】
このスライドヒンジは扉を筐体の側板内側に作業性よく、簡単かつ迅速に取り付けられる利点があることから、近年、家具用として多く採用されている。また、上記天袋にかかわらず、一般家庭内で家具類を部屋のコーナー部に配置する場合、扉の開度は壁面によって制約されるが、このような場合でも扉自体をスライドさせて約９０度回動できるという利点もある。このスライドヒンジは、扉を回動自在に、かつ、扉の重量を支持する必要があるため、強度が求められ、下記特許文献１には、リンクの強度を向上させ、改良されたスライドヒンジが開示されている。
【特許文献１】特開平７−６２９４４号公報（第１〜３頁、第２図、第５図）
【発明の開示】
【発明が解決しようとする課題】
【０００５】
一方、従来、天井隅部に天袋を取り付ける場合、本願図８に示すように、側板と底板とからなり上が開口した正面視コ字型の箱体を、キッチンやトイレの壁面と天井を利用して取り付け、その後、扉が取り付けられる。このとき、天井の高さが低い場合等、側板と扉の端部を設置場所で高さ寸法合わせをして切断する必要がある。しかしながら、狭い、窮屈な現場では作業性が悪く、とくに、扉の取り付けはヒンジの位置を適切に調節して行うことが困難という問題がある。
【０００６】
本発明は、このような問題を解決して、キッチンやトイレ等の比較的狭い場所においても、設置場所での取り付け作業を容易に行うことができるとともに、ヒンジの位置調節を適切に行える天袋を取り付ける方法、およびその天袋を提供することを、その課題とする。
【課題を解決するための手段】
【０００７】
上記課題を解決するために、本発明においては、つぎのような技術的手段を講じている。すなわち、請求項１に記載の発明によれば、壁面と天井とを利用して天袋を取り付ける方法であって、該天袋は側板と底板とからなる正面視コ字型の箱体とこの箱体にヒンジ結合される扉部とから構成され、該扉部は扉本体とカップ穴が設けられたヒンジ受座とからなるとともに、上記扉本体の側板取り付け側の端面を切り欠いて上記ヒンジ受座が嵌着される嵌着部とし、上記カップ穴と対をなす有底カップ穴が扉本体に穿たれ、上記側板と扉本体の端部を切断除去して高さ寸法合わせを行い、上記ヒンジ受座の端部を切断除去して高さ寸法合わせを行い、設置場所に対応して天袋を取り付ける方法が提供される。
【０００８】
請求項２に記載の天袋を取り付ける方法は、請求項１に記載の発明に加えて、上記扉本体の側板取り付け側上部端面を切り欠いて嵌着部とし、この嵌着部に嵌着されるヒンジ受座を上記有底カップ穴の深さと同じ厚さを有する直方体とするとともに該嵌着部の上端から所定距離をおいて上部カップ穴を貫通孔として設け、扉本体の下端から上記所定距離と同距離をおいて下部有底カップ穴が設けられる。
【０００９】
請求項３に記載の天袋を取り付ける方法は、請求項１に記載の発明に加えて、上記ヒンジ受座の下端部を切断除去して高さ寸法合わせを行い再接合した後、カバー部材で上記扉本体の嵌着部とヒンジ受座とを含む側端部を覆うことが好ましい。
【００１０】
請求項４に記載の天袋を取り付ける方法は、請求項１に記載の発明に加えて、上記ヒンジがスライドヒンジであることが好ましい。
【００１１】
請求項５に記載の発明によれば、壁面と天井とを利用して取り付けられる天袋であって、該天袋は側板と底板とからなる正面視コ字型の箱体とこの箱体にヒンジ結合される扉部とから構成され、該扉部は扉本体とカップ穴が設けられたヒンジ受座とからなるとともに、上記扉本体の側板取り付け側の端面を切り欠いて上記ヒンジ受座が嵌着される嵌着部とし、上記カップ穴と対をなす有底カップ穴が扉本体に穿たれ、上記側板と扉本体の端部を切断除去して高さ寸法合わせを行い、上記ヒンジ受座の端部を切断除去して高さ寸法合わせを行い、設置場所に対応して取り付けられた天袋が提供される。
【発明の効果】
【００１２】
請求項１に記載の発明にかかる天袋を取り付ける方法は上記のとおりであり、正面視コ字型の箱体とこの箱体にヒンジ結合される扉部とから構成され、該扉部は扉本体とヒンジ受座とからなり、上記扉本体の側板取り付け側の端面を切り欠いて上記ヒンジ受座が嵌着される嵌着部とし、ヒンジ受座に設けられたカップ穴と対をなす有底カップ穴が扉本体に穿たれ、上記側板と扉本体の端部を切断除去して高さ寸法合わせを行い、上記ヒンジ受座の端部を切断除去して高さ寸法合わせを行うため、キッチンやトイレ等の比較的狭い、窮屈なところでも、現場で作業性よく、体裁よく天袋を取り付けることができる。
【００１３】
請求項２に記載の天袋を取り付ける方法は上記のとおりであり、上記扉本体の側板取り付け側上部端面を切り欠いて嵌着部とし、この嵌着部に嵌着されるヒンジ受座を上記有底カップ穴の深さと同じ厚さを有する直方体としているため、ヒンジ受座を扉本体にぴったりと面一に嵌着することができる。また、嵌着部の上端から所定距離をおいて上部カップ穴を貫通孔として設けているため、ドリル等で容易に上部カップ穴を穿つことができる。さらに、扉本体の下端から、ヒンジ受座の上端からの所定距離と同距離をおいて下部有底カップ穴が設けられているため、上下２個のヒンジを対として適切な間隔をおいて、上下対称に取り付けることができる。
【００１４】
請求項３に記載の天袋を取り付ける方法は上記のとおりであり、請求項１の天袋を取り付ける方法の有する効果に加え、上記ヒンジ受座の下端部を切断除去して高さ寸法合わせを行い、再接合した後、カバー部材で上記扉本体の嵌着部とヒンジ受座とを含む側端部を覆うため接合部を目隠しすることができる。
【００１５】
請求項４に記載の天袋を取り付ける方法は上記のとおりであり、請求項１の天袋を取り付ける方法の有する効果に加え、上記ヒンジをスライドヒンジとすることにより、見栄えよく扉部を箱体に取り付けることができ、また、扉自体をスライドさせて回動し、壁面側の扉部を壁面に当接するまで約９０度開くことができる。
【００１６】
請求項５に記載の発明にかかる天袋は上記のとおりであり、正面視コ字型の箱体とこの箱体にヒンジ結合される扉部とから構成され、該扉部は扉本体とヒンジ受座とからなり、上記扉本体の側板取り付け側の端面を切り欠いて上記ヒンジ受座が嵌着される嵌着部とし、ヒンジ受座に設けられたカップ穴と対をなす有底カップ穴が扉本体に穿たれ、上記側板と扉本体の端部を切断除去して高さ寸法合わせを行い、上記ヒンジ受座の端部を切断除去して高さ寸法合わせを行い、設置場所に対応した天袋であるため、キッチンやトイレ等の比較的狭い、窮屈なところでも、現場で作業性よく、体裁よく取り付けできる天袋が提供される。
【発明を実施するための最良の形態】
【００１７】
以下、キッチンやトイレの天井隅部に天袋を取り付ける場合を例にとり、本発明にかかる天袋を取り付ける方法の実施形態について、図面を参照して詳細に説明する。まず、図１に示すように、側板５と底板６とからなる上が開口した正面視コ字型の箱体Ａを、壁面７を天袋自体の背板として、また、天井８を天袋自体の天板として利用するとともに、図１に点線で示した高さｈの部分を切断して取り除き、設置場所に対応して高さ寸法合わせを行う。このとき、上記箱体Ａに開閉自在に取り付けられる扉部も同様に、高さを調節する必要がある。
【００１８】
図２は、本発明の天袋を取り付ける方法を説明する分解斜視図である。本発明の方法においては、図２に示すように、扉部Ｂは、扉本体２とヒンジ受座１とからなり、ヒンジ受座１にはヒンジを取り付けるための上部カップ穴３ａが設けられ、扉本体２の側板５側の上部端面は切り欠かれてヒンジ受座１が嵌着する嵌着部２１とされている。また、扉本体２には上部カップ穴３ａと対をなす下部有底カップ穴３ｂが設けられている。
【００１９】
上記箱体Ａの側板５と扉部Ｂの扉本体２の高さ寸法は、現場で寸法合わせをして電動鋸等で高さｈの端部を切断、除去することにより比較的簡単に高さを調節することができる。しかし、上下２個のヒンジは適切な間隔をおいて、上下対称に取り付ける必要があるため、ヒンジ受座１に設けられた上部カップ穴３ａと扉本体２に設けられた下部有底カップ穴３ｂとは適切な間隔をおいて、上下対称に凹設する必要がある。
【００２０】
そこで、本発明の方法においては、図３に示すように、ヒンジ受座１を下部有底カップ穴３ｂの深さと同じ寸法の厚さｔを有する直方体から構成し、嵌着部２１をこの直方体が嵌着されるように切り欠くとともに、上部カップ穴３ａをヒンジ受座１の上端より所定距離ｄをおいて貫通孔として設ける。また、深さｔの下部有底カップ穴３ｂを扉本体２の下端より同じく距離ｄをおいて設け、扉部Ｂの扉本体２で切断して除かれる扉本体部分２ａの高さｈに相当するヒンジ受座１の下端部分を切断して取り除く。このようにした後、ヒンジ受座１を上記嵌着部２１に嵌着することにより、全体の高さが側板５の高さに合わされ、ヒンジ受座１が扉本体２と面一である扉部Ｂを形成することができる。
【００２１】
図４は、上記のようにして高さ寸法を調節し、ヒンジ受座１を扉本体２の側板５側の上部端面に設けられた嵌着部２１に嵌着して形成した扉部Ｂを示す斜視図である。図４において、符号１１は、図３に示す高さｈに相当する下端部を除去したヒンジ受座１を嵌着部２１に嵌着したときに生じる接合線を示す。
【００２２】
本発明の方法においては高さ調節を行ったヒンジ受座１の上記外部に露出する接合線１１を目隠しするため、図５に示すように、カバー部材９で嵌着部２１とヒンジ受座１とを含む扉本体２の側端部全体を、上部カップ穴３ａと下部有底カップ穴３ｂを除いて覆う。このとき、カバー部材９を覆設する方法は、とくに限定されず、カバー部材９を弾性のある合成樹脂から形成して弾性係合する方法、接着する方法、ビス留めする方法等、公知の方法によって行われる。
【００２３】
上記のようにすることによって、上部カップ穴３ａと下部有底カップ穴３ｂとを上下対称な位置に、また、適切な間隔をおいて設けることが可能となる。さらに、図６に示すように、上部カップ穴３ａと下部有底カップ穴３ｂとにスライドヒンジ４の扉固定部を固定し、該扉固定部と、側板５の内側に固定されたスライドヒンジ４の図示しない側板固定部とを結合することにより、箱体Ａに扉部Ｂを開閉自在に取り付けることができる。
【００２４】
図７は、上記本発明の天袋を取り付ける方法を実施して形成された天袋Ｃを示す斜視図である。図７に示されているように、本発明の天袋を取り付ける方法を実施することにより、キッチンやトイレのような狭い、窮屈なところでも、天井隅部に天袋Ｃを作業性よく、体裁よく取り付けできることが明らかである。
【００２５】
なお、上記実施形態においては、扉本体２の側板５側の上部端面を切り欠いて嵌着部２１としたが、下部端面を切り欠いて嵌着部２１としてもよい。このように、本発明は種々設計変更自在であり、特許請求の範囲を逸脱しない限り、本発明の技術的範囲に属する。
【図面の簡単な説明】
【００２６】
【図１】本発明の天袋を取り付ける方法にかかる箱体を示す説明図である。
【図２】本発明の天袋を取り付ける方法を説明する分解斜視図である。
【図３】本発明の天袋を取り付ける方法において扉部の高さ寸法合わせ方法を示す説明図である。
【図４】本発明の天袋を取り付ける方法によって高さ寸法を調節された扉部を示す斜視図である。
【図５】図４に示す高さを調節された扉部にカバー部材が覆設された状態を示す斜視図である。
【図６】図５に示す寸法に調節され、カバー部材が覆設された扉部のカップ穴にスライドヒンジを固定した状態を示す斜視図である。
【図７】本発明の天袋を取り付ける方法を実施して形成された天袋を示す斜視図である。
【図８】本発明の天袋を取り付ける方法を適用する公知の箱体を示す説明図である。
【符号の説明】
【００２７】
Ａ          本発明の天袋を取り付ける方法にかかる箱体
Ｂ          本発明の天袋を取り付ける方法にかかる扉部
Ｃ          本発明の天袋を取り付ける方法を実施して形成された天袋
１          ヒンジ受座
１１        接合線
２          扉本体
２１        嵌着部
２ａ        切断して除かれる扉本体部分
３ａ        上部カップ穴
３ｂ        下部有底カップ穴
４          スライドヒンジ
５          側板
６          底板
７          壁面
８          天井
９          カバー部材
【図１】
2008144366.tif 000003
【図２】
2008144366.tif 000004
【図３】
2008144366.tif 000005
【図４】
2008144366.tif 000006
【図５】
2008144366.tif 000007
【図６】
2008144366.tif 000008
【図７】
2008144366.tif 000009
【図８】
2008144366.tif 000010